(57)【要約】  表示領域への接触状態に応じて、表示内容を適宜変更することにより、操作性の向上を図ることができる電子機器及び電子機器における表示方法を提供すること。  電子機器は、選択項目が表示される表示部２１と、表示部２１の表示領域への接触を検出する検出部３１と、選択項目が表示部２１に表示された状態において、検出部３１により選択項目に対応する表示領域への接触が検出されると、表示部２１の表示状態を、表示領域への接触状態に応じて、当該選択項目に関連する複数の第１の階層項目を有する第１の表示項目群を表示する第１表示状態、或いは、選択項目に関連する複数の第２の階層項目を有して第１の表示項目群よりも項目数の多い第２の表示項目群を表示する第２表示状態のいずれかに遷移させる制御部３２と、を備える。
2010035878.tif 000002
【特許請求の範囲】
【請求項１】
選択項目が表示される表示部と、
前記表示部の表示領域への接触を検出する検出部と、
前記選択項目が前記表示部に表示された状態において、前記検出部により前記選択項目に対応する表示領域への接触が検出されると、前記表示部の表示状態を、前記表示領域への接触状態に応じて、当該選択項目に関連する複数の第１の階層項目を有する第１の表示項目群を表示する第１表示状態、或いは、前記選択項目に関連する複数の第２の階層項目を有して前記第１の表示項目群よりも項目数の多い第２の表示項目群を表示する第２表示状態のいずれかに遷移させる制御部と、を備える電子機器。
【請求項２】
前記制御部は、前記表示領域への接触面積に応じて前記表示部の表示状態を遷移させる請求項１に記載の電子機器。
【請求項３】
前記検出部は、複数の静電容量センサを有し、前記静電容量センサでの静電容量の変化によって前記表示領域への接触を検出し、
前記制御部は、前記静電容量が変化した前記静電容量センサの数に応じて前記接触面積を判定する請求項２に記載の電子機器。
【請求項４】
前記制御部は、前記接触面積が一定以上であると判断した場合に前記第１表示状態に遷移させ、前記接触面積が一定以上ではないと判断した場合には前記第２表示状態に遷移させる請求項２に記載の電子機器。
【請求項５】
前記第２の表示項目群の前記複数の第２の階層項目は、前記第１の表示項目群の前記複数の第１の階層項目を含み、
前記制御部は、前記第２の表示項目群を表示させる際、前記第１の階層項目を含んだ前記複数の第２の階層項目を表示させる請求項１に記載の電子機器。
【請求項６】
前記第２の表示項目群の前記複数の第２の階層項目は、前記第１の表示項目群の前記複数の第１の階層項目に対する階層項目である請求項１に記載の電子機器。
【請求項７】
前記制御部は、前記第２の表示項目群を表示させる際、前記複数の第２の階層項目と共に前記第１の階層項目も表示させる請求項６に記載の電子機器。
【請求項８】
前記検出部は、前記選択項目の表示領域に対する接触と前記選択項目の表示領域とは異なる表示領域に対する接触とを検出可能であり、
前記制御部は、前記選択項目が前記表示部に表示された状態において、前記検出部にて前記選択項目の表示領域への接触が検出されると、前記表示部の表示状態を、前記選択項目の表示領域及び前記選択項目の表示領域とは異なる表示領域への接触状態に応じて、前記第１表示状態、或いは、前記第２表示状態のいずれかに遷移させる請求項１に記載の電子機器。
【請求項９】
前記検出部は、前記選択項目の表示領域とは異なる表示領域に対する接触を検出可能であり、
前記制御部は、前記選択項目が前記表示部に表示された状態において、前記検出部にて前記選択項目の表示領域とは異なる表示領域への接触が検出されると、前記表示部の表示状態を、前記選択項目の表示領域とは異なる表示領域への接触状態に応じて、前記選択項目の表示が維持される状態、或いは、前記選択項目に関連する前記複数の第１の階層項目を有する前記第１の表示項目群を表示する状態のいずれかに遷移させる請求項１に記載の電子機器。
【請求項１０】
前記検出部は、初期画面の表示領域に対する接触を検出可能であり、
前記制御部は、前記初期画面が前記表示部に表示された状態において、前記検出部にて前記初期画面の表示領域への接触が検出されると、前記表示部の表示状態を、前記初期画面の表示領域への接触状態に応じて、前記選択項目を表示する状態、或いは、前記選択項目に関連する前記複数の第１の階層項目を有する前記第１の表示項目群を表示する状態のいずれかに遷移させる請求項１に記載の電子機器。
【請求項１１】
筐体と、
前記筐体に着脱可能な着脱部材であって、該着脱部材が前記表示部の表示領域に接触したときに前記検出部により前記表示部の表示領域への接触が検出される着脱部材と、を備え、
前記選択項目が前記表示部に表示された状態において、前記検出部にて前記選択項目の表示領域への接触が検出されると、前記表示部の表示状態を、前記着脱部材の前記筐体への着脱状態に基づき判断される前記接触状態に応じて、前記第１表示状態、或いは、前記第２表示状態のいずれかに遷移させる請求項１に記載の電子機器。
【請求項１２】
階層項目が表示されると共に接触が検出可能な表示領域を有する表示部と、
前記表示部の表示領域への接触を検出する検出部と、
複数の上位階層項目が前記表示部に表示された状態において、前記検出部により前記上位階層項目に対応する表示領域への接触が検出されると、前記表示領域への接触状態に応じて、前記表示部に表示される当該上位階層項目に関連する複数の下位階層項目の数を可変させる制御部と、を備える電子機器。
【請求項１３】
選択項目を表示部に表示する工程と、
前記表示部の表示領域への接触を検出する工程と、
前記表示部の表示状態を、前記表示領域への接触状態に応じて、前記選択項目に関連する複数の第１の階層項目を有する第１の表示項目群を表示する第１表示状態、或いは、前記選択項目に関連する複数の階層項目を有して前記第１の表示項目群よりも項目数の多い第２の表示項目群を表示する第２表示状態のいずれかに遷移させる工程と、
を行うことを特徴とする電子機器における表示方法。
【発明の詳細な説明】
【技術分野】
【０００１】
本発明は、タッチセンサを有する電子機器及び電子機器における表示方法に関する。
【背景技術】
【０００２】
近年、ペンや指による接触を検出することによって各種の操作（例えば、ミュージックプレイヤの起動等）を行うことが可能なタッチセンサを有する携帯端末が増加している。このような携帯端末では、ＬＣＤ（Ｌｉｐｕｉｄ  Ｃｒｙｓｔａｌ  Ｄｉｓｐｌａｙ）等のディスプレイに各種の入力キーを表示し、このディスプレイに透過性を有するタッチパネルを重ねて設け、このタッチパネルを透過して表示される各種の入力キーを指又はペンによってタッチ（接触）することで入力操作を行っている。【０００３】
ここで、指先は、ペン先に比して接触面積が大きいため、隣接するキー同士の接触する領域の間隔が狭いときには、隣接する複数のキーが同時に接触され、誤動作を引き起こす可能性がある。そこで、このような課題を解決するために、指により接触が行われる場合には、隣接するキー同士の接触する領域の間隔を広げるように制御することにより、複数のキーが同時に接触されることを回避し、誤作動を防止するという方法が提案されている（例えば、特許文献１を参照。）。
【先行技術文献】
【特許文献】
【０００４】
【特許文献１】特開２００５−０５０２６５号公報
【発明の概要】
【発明が解決しようとする課題】
【０００５】
ところで、上述の方法では、ペンで接触する場合には、隣接するキー同士の接触する領域の間隔を広げず、一方で、指で接触する場合には、隣接するキー同士の接触する領域の間隔を広げることで、誤作動を防止し、操作性に優れた手段を提供することとされているが、指による接触の場合とペンによる接触の場合とで表示内容に変動はなく、一律となっている。【０００６】
本発明では、表示領域への接触状態に応じて、表示内容を適宜変更することにより、操作性の向上を図ることができる電子機器及び電子機器における表示方法を提供することを目的とする。
【課題を解決するための手段】
【０００７】
本発明に係る電子機器は、上記課題を解決するために、選択項目が表示される表示部と、前記表示部の表示領域への接触を検出する検出部と、前記選択項目が前記表示部に表示された状態において、前記検出部により前記選択項目に対応する表示領域への接触が検出されると、前記表示部の表示状態を、前記表示領域への接触状態に応じて、当該選択項目に関連する複数の第１の階層項目を有する第１の表示項目群を表示する第１表示状態、或いは、前記選択項目に関連する複数の第２の階層項目を有して前記第１の表示項目群よりも項目数の多い第２の表示項目群を表示する第２表示状態のいずれかに遷移させる制御部と、を備えることを特徴とする。【０００８】
また、上記電子機器では、前記制御部は、前記表示領域への接触面積に応じて前記表示部の表示状態を遷移させることが好ましい。【０００９】
また、上記電子機器では、前記検出部は、複数の静電容量センサを有し、前記静電容量センサでの静電容量の変化によって前記表示領域への接触を検出し、前記制御部は、前記静電容量が変化した前記静電容量センサの数に応じて前記接触面積を判定することが好ましい。【００１０】
また、上記電子機器では、前記制御部は、前記接触面積が一定以上であると判断した場合に前記第１表示状態に遷移させ、前記接触面積が一定以上ではないと判断した場合には前記第２表示状態に遷移させることが好ましい。【００１１】
また、上記電子機器では、前記第２の表示項目群の前記複数の第２の階層項目は、前記第１の表示項目群の前記複数の第１の階層項目を含み、前記制御部は、前記第２の表示項目群を表示させる際、前記第１の階層項目を含んだ前記複数の第２の階層項目を表示させることが好ましい。【００１２】
また、上記電子機器では、前記第２の表示項目群の前記複数の第２の階層項目は、前記第１の表示項目群の前記複数の第１の階層項目に対する階層項目であることが好ましい。【００１３】
また、上記電子機器では、前記制御部は、前記第２の表示項目群を表示させる際、前記複数の第２の階層項目と共に前記第１の階層項目も表示させることが好ましい。【００１４】
また、上記電子機器では、前記検出部は、前記選択項目の表示領域に対する接触と前記選択項目の表示領域とは異なる表示領域に対する接触とを検出可能であり、前記制御部は、前記選択項目が前記表示部に表示された状態において、前記検出部にて前記選択項目の表示領域への接触が検出されると、前記表示部の表示状態を、前記選択項目の表示領域及び前記選択項目の表示領域とは異なる表示領域への接触状態に応じて、前記第１表示状態、或いは、前記第２表示状態のいずれかに遷移させることが好ましい。【００１５】
また、上記電子機器では、前記検出部は、前記選択項目の表示領域とは異なる表示領域に対する接触を検出可能であり、前記制御部は、前記選択項目が前記表示部に表示された状態において、前記検出部にて前記選択項目の表示領域とは異なる表示領域への接触が検出されると、前記表示部の表示状態を、前記選択項目の表示領域とは異なる表示領域への接触状態に応じて、前記選択項目の表示が維持される状態、或いは、前記選択項目に関連する前記複数の第１の階層項目を有する前記第１の表示項目群を表示する状態のいずれかに遷移させることが好ましい。【００１６】
また、上記電子機器では、前記検出部は、初期画面の表示領域に対する接触を検出可能であり、前記制御部は、前記初期画面が前記表示部に表示された状態において、前記検出部にて前記初期画面の表示領域への接触が検出されると、前記表示部の表示状態を、前記初期画面の表示領域への接触状態に応じて、前記選択項目を表示する状態、或いは、前記選択項目に関連する前記複数の第１の階層項目を有する前記第１の表示項目群を表示する状態のいずれかに遷移させることが好ましい。【００１７】
また、上記電子機器では、筐体と、前記筐体に着脱可能な着脱部材であって、該着脱部材が前記表示部の表示領域に接触したときに前記検出部により前記表示部の表示領域への接触が検出される着脱部材と、を備え、前記選択項目が前記表示部に表示された状態において、前記検出部にて前記選択項目の表示領域への接触が検出されると、前記表示部の表示状態を、前記着脱部材の前記筐体への着脱状態に基づき判断される前記接触状態に応じて、前記第１表示状態、或いは、前記第２表示状態のいずれかに遷移させることが好ましい。【００１８】
また、本発明に係る電子機器は、階層項目が表示されると共に接触が検出可能な表示領域を有する表示部と、前記表示部の表示領域への接触を検出する検出部と、複数の上位階層項目が前記表示部に表示された状態において、前記検出部により前記上位階層項目に対応する表示領域への接触が検出されると、前記表示領域への接触状態に応じて、前記表示部に表示される当該上位階層項目に関連する複数の下位階層項目の数を可変させる制御部と、を備えることを特徴とする。【００１９】
また、本発明に係る電子機器における表示方法は、選択項目を表示部に表示する工程と、前記表示部の表示領域への接触を検出する工程と、前記表示部の表示状態を、前記表示領域への接触状態に応じて、前記選択項目に関連する複数の第１の階層項目を有する第１の表示項目群を表示する第１表示状態、或いは、前記選択項目に関連する複数の階層項目を有して前記第１の表示項目群よりも項目数の多い第２の表示項目群を表示する第２表示状態のいずれかに遷移させる工程と、を行うことを特徴とする。
【発明の効果】
【００２０】
本発明によれば、操作性の向上を図ることができる。
【図面の簡単な説明】
【００２１】
【図１】本発明の一実施形態に係る携帯電話機の外観斜視図である。
【図２】本発明の一実施形態に係る携帯電話機の機能を示すブロック図である。
【図３】制御部による接触面積の算出方法についての説明に供する図である。
【図４】本発明の他の実施形態に係る携帯電話機の機能を示すブロック図である。
【図５】指又はペンによる入力操作によって待ち受け画面から電話をかける場合の制御部の動作についての説明に供するフローチャートである。
【図６】ペンによる接触入力であるか又は指による接触入力であるかに応じて、電話アプリケーションの操作を行う際における表示部の表示態様の変化の様子を示す模式図である。
【図７】ペンによる接触入力であるか又は指による接触入力であるかに応じて、メール作成時の添付ファイルの選択操作の際における表示部の表示態様の変化の様子を示す模式図である。
【図８】ペンによる接触入力であるか又は指による接触入力であるかに応じて、着信音の設定操作を行う際における表示部の表示態様の変化の様子を示す模式図である。
【図９】ペンによる接触入力であるか又は指による接触入力であるかに応じて、表示部に選択項目を表示させ、或いは、表示部に第１の階層項目を表示させる際における表示態様の変化の様子を示す模式図である。
【図１０】ペンによる接触入力であるか又は指による接触入力であるかに応じて、表示部に選択項目をそのまま表示させ、或いは、表示部に第１の階層項目を表示させる際における表示態様の変化の様子を示す模式図である。
【発明を実施するための形態】
【００２２】
［第１実施形態］
以下、本発明の第１実施形態について説明する。図１は、本実施形態に係る携帯電話機１（電子機器）の外観斜視図である。なお、図１は、いわゆる折り畳み型の携帯電話機の形態を示しているが、本発明に係る携帯電話機の形態はこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが一つの筐体に配置され、連結部を有さない形式（ストレートタイプ、フリップタイプ）でも良い。
【００２３】
携帯電話機１は、操作部側筐体２と、表示部側筐体３と、を備えて構成される。操作部側筐体２は、表面部１０に、キー入力部１１と、携帯電話機１の使用者が通話時に発した音声が入力されるマイク１２と、を備えて構成される。キー入力部１１は、各種設定機能や電話帳機能やメール機能等の各種機能を作動させるための機能設定操作ボタン１３と、電話番号の数字やメールの文字等を入力するための入力操作ボタン１４と、各種操作における決定やスクロール等を行う決定操作ボタン１５と、から構成されている。
【００２４】
また、表示部側筐体３は、表面部２０に、各種情報が表示されるための表示部２１と、通話の相手側の音声を出力するレシーバ２２と、を備えて構成されている。さらに、表面部２０には、表示部２１に表示された画像を透過可能であり、押圧による操作入力を受け付ける表示領域３３が、表示部２１に重畳して配置される。
【００２５】
また、操作部側筐体２の上端部と表示部側筐体３の下端部とは、ヒンジ機構４を介して連結されている。また、携帯電話機１は、ヒンジ機構４を介して連結された操作部側筐体２と表示部側筐体３とを相対的に回転することにより、操作部側筐体２と表示部側筐体３とを互いに開いた状態（開放状態）にしたり、操作部側筐体２と表示部側筐体３とを折り畳んだ状態（折畳み状態）にしたりできる。
【００２６】
このように構成される携帯電話機１は、タッチパネルを有しており、当該タッチパネルへの接触状態（例えば、ペンや指による接触入力）に応じて、表示部２１に表示される内容を適宜変更することにより、操作性の向上を図る機能を有している。
【００２７】
ここで、当該機能を発揮するための構成について図２を用いて詳細に説明する。携帯電話機１は、図２に示すように、表示部２１と、検出部３１と、制御部３２とを備える。表示部２１は、複数の選択項目が表示される。検出部３１は、表示部２１に表示されている選択項目に対応する表示領域３３への接触を検出する。制御部３２は、選択項目が表示部２１に表示された状態において、検出部３１により選択項目に対応する表示領域３３への接触が検出されると、表示部２１の表示状態を、表示領域３３への接触状態に応じて、当該選択項目に関連する複数の第１の階層項目を有する第１の表示項目群を表示する第１表示状態、或いは、選択項目に関連する複数の第２の階層項目を有して第１の表示項目群よりも項目数の多い第２の表示項目群を表示する第２表示状態のいずれかに遷移させる。
【００２８】
一実施例において、第２の表示項目群の複数の第２の階層項目は、第１の表示項目群の複数の第１の階層項目を含む。すなわち、第２の階層項目は、第１の階層項目の一部を構成する。この場合、制御部３２は、第２の表示項目群を表示させる際、第１の階層項目を含んだ複数の第２の階層項目を表示させる。
【００２９】
また、他の実施例において、第２の表示項目群の複数の第２の階層項目は、第１の表示項目群の複数の第１の階層項目に対する階層項目である。すなわち、第２の階層項目は、第１の階層項目の下位階層項目となる。
【００３０】
また、制御部３２は、第２の表示項目群を表示させる際、複数の第２の階層項目と共に第１の階層項目も表示させる。すなわち、制御部３２は、選択項目が複数表示されている状態において（図６（ａ）参照）、例えば、「電話」が指により接触された場合、第１の階層項目として「発信履歴」、「着信履歴」及び「直接入力」の各項目を表示部２１に表示させる（図６（ｂ）参照）。一方、制御部３２は、選択項目が複数表示されている状態において（図６（ａ）参照）、例えば、「電話」がペンにより接触された場合、第１の階層項目として「発信履歴」及び「着信履歴」を表示部２１に表示させると共に、第２の階層項目として「０９０ＸＸＸ」、「０９０ＹＹＹ」及び「０９０ＺＺＺ」等を表示部２１に表示させる。
【００３１】
ここで、表示領域３３への接触に応じて検出部３１と制御部３２とがどのように協調して動作するかについて説明する。検出部３１は、ユーザの指やペン先等により触れられた（押圧された）位置を検出するセンサである。検出部３１は、表示領域３３への接触の検出結果を制御部３２に出力する。制御部３２は、検出結果に応じて各種操作入力として各種処理を実行する。なお、検出部３１は、既存の静電容量方式や抵抗膜方式等のセンサが利用可能である。
【００３２】
このように構成されることにより、携帯電話機１は、表示領域３３への接触状態に応じて表示態様を適宜変更し、操作性の向上を図ることができる。
【００３３】
また、検出部３１は、表示領域３３への接触を検出したときに、当該接触面積も検出する。制御部３２は、検出部３１により検出された接触面積を算出し、当該算出の結果から接触面積が一定以上であると判断した場合（例えば、指による接触の場合）には、選択項目に関連する前記複数の第１の階層項目が表示されるよう制御し、また、当該算出の結果から接触面積が一定以上ではないと判断した場合（例えば、ペン先による接触の場合）には、選択項目に関連する前記複数の第２の階層項目が表示されるよう制御することが好ましい。
【００３４】
ここで、制御部３２による接触面積の算出方法について説明する。表示領域３３は、図３に示すように、表示部２１の上面に配置されており、透明電極４１の内側にマトリクス状に一定の間隔で複数の検出素子が配置されている。検出部３１は、パネル表面４２に接触したときに反応した検出素子の数を平面的に検出し、検出結果を制御部３２に出力する。制御部３２は、検出結果から接触により覆われている面積を算出する。制御部３２は、例えば、面積が５［ｍｍ２］未満であればペン先による接触であると判断し、面積が５［ｍｍ２］以上２［ｃｍ２］未満であれば指（小）による接触であると判断し、面積が２［ｃｍ２］以上であれば指（大）による接触であると判断する。
【００３５】
また、検出部３１は接触が発生する度に当該接触物の接触面積を検出し、制御部３２が検出部３１により検出された接触面積を算出するようにしても良いし、或いは、検出部３１は一度接触面積を検出すると、制御部３２はこれ以降当該接触面積を有する接触が発生したと判断するようにしても良い。
【００３６】
なお、検出素子は、例えば、静電容量センサであればよい。すなわち、検出部３１は、例えば、表示部２１に沿って配列されると共に、表示領域３３への接触に伴って静電容量が変化する静電容量センサを複数配列したものであればよい。
この場合、制御部３２は、表示領域３３への接触に伴って静電容量が変化した静電容量センサの数が一定以上であると判断した場合には、選択項目に関連する複数の第１の階層項目が表示されるよう制御し、表示領域３３への接触に伴って静電容量が変化した静電容量センサの数が一定以上ではないと判断した場合には、選択項目に関連する複数の第２の階層項目が表示されるよう制御する。
制御部３２による上記判断の具体的な一例は、次のようになっていればよい。すなわち、制御部３２は、表示領域３３への接触に伴って静電容量が一定以上に変化した静電容量センサが複数隣接して存在する場合において、当該静電容量センサの数が一定以上であるときには、指先等による接触であると判断する。一方、制御部３２は、表示領域３３への接触に伴って静電容量が一定以上に変化した静電容量センサが複数隣接して存在する場合において、当該静電容量センサの数が一定以上ではないときには、ペン先等による接触であると判断する。
【００３７】
このように構成されることにより、携帯電話機１は、接触面積に応じた最適な表示態様を提供でき、ユーザのユースケースに適合した表示画面を提供することができ、操作性の向上を図ることができる。なお、本実施例では、ペンによる接触か指による接触かは、接触面積により判定する機能を備えるものとして説明したが、これに限られない。
すなわち、携帯電話機１は、筐体（操作部側筐体２又は表示部側筐体３）と、この筐体に着脱可能な着脱部材３４（例えば、ペン等の接触物）とを備える。着脱部材３４は、表示部２１の表示領域３３に接触したときに検出部３１により表示部２１の表示領域３３への接触が検出されるものである。この場合、制御部３２は、選択項目が表示部２１に表示された状態において、検出部３１にて選択項目の表示領域３３への接触が検出されると、表示部２１の表示状態を、着脱部材３４の筐体への着脱状態に基づき判断される接触状態に応じて、第１表示状態、或いは、第２表示状態のいずれかに遷移させる。
【００３８】
つぎに、指又はペンによる入力操作によって待ち受け画面（通話を待ち受けている状態において表示されている初期画面）から電話をかける場合の制御部３２の動作について図５に示すフローチャートを参照しながら説明する。なお、以下では、キー入力部１１によるキー操作ではなく、指又はペンの操作によってアプリケーションが起動された場合を想定して説明を行う。
【００３９】
ステップＳ１において、制御部３２は、ユーザの操作に応じて電話アプリケーションを起動する。
【００４０】
ステップＳ２において、制御部３２は、ステップＳ１の工程に係る電話アプリケーションの起動時の入力手段の検出を行う。
【００４１】
ステップＳ３において、制御部３２は、ステップＳ２の工程に係る検出に基づいて、ペンの入力であったか否かを判断する。ペンの入力であると判断した場合（Ｙｅｓ）には、ステップＳ４に進み、ペンの入力でない、すなわち指による入力であると判断した場合（Ｎｏ）には、ステップＳ５に進む。
【００４２】
ステップＳ４において、制御部３２は、ペン入力用の表示メニューを表示部２１に表示されるように制御する。
【００４３】
また、ステップＳ５において、制御部３２は、指入力用の表示メニューを表示部２１に表示されるように制御する。
【００４４】
ステップＳ６において、制御部３２は、表示部２１に表示している表示メニューに対して、ユーザにより所定の電話番号が選択（入力）され、発信の操作が行われたことを条件に発信処理を行う。
【００４５】
＜電話アプリケーション＞
つぎに、ペンによる接触入力であるか又は指による接触入力であるかに応じて、電話アプリケーションの操作を行う際における表示部２１の表示態様の変化の様子について詳細に説明する。なお、以下では、指で入力をする場合には、「直接入力」から番号を直接入力して発信処理を行い、ペンで入力をする場合には、番号を直接入力して発信処理を行うことを想定するものとする。なお、「発信履歴」を利用する場合においては、指で入力をする場合、「発信履歴」から番号を選択して発信処理を行い、また、ペンで入力をする場合、「発信履歴」の番号を選択して発信処理を行うことができる。
【００４６】
制御部３２は、選択項目が複数表示されている状態において（図６（ａ））、「電話」の選択項目が指により接触された場合には、指入力用の表示メニューを表示部２１に表示されるように制御する（図６（ｂ））。また、制御部３２は、指入力用の表示メニューが表示されている状態において、「直接入力」の項目が指により接触された場合には、直接入力のための表示を表示部２１に表示されるように制御する（図６（ｃ））。また、制御部３２は、指による接触入力によって所定の番号「０９０ＸＸＸＹＹＹＺＺ」が選択され、「発信」の項目が指で接触された場合には、発信処理を行い通話状態表示に遷移する（図６（ｄ））。
【００４７】
一方で、制御部３２は、選択項目が複数表示されている状態において（図６（ａ））、「電話」の選択項目がペンにより接触された場合には、ペン入力用の表示メニューを表示部２１に表示されるように制御する（図６（ｅ））。また、制御部３２は、ペンによる直接入力により所定の番号「０９０ＸＸＸＹＹＹＺＺ」が入力され、「発信」の項目がペンにより接触された場合には、発信処理を行い通話状態表示に遷移する（図６（ｄ））。
【００４８】
このようにして、携帯電話機１では、電話アプリケーションの操作において、指による接触の場合には、図６（ａ）、図６（ｂ）及び図６（ｃ）を経て、図６（ｄ）の通話状態表示に遷移し、ペンによる接触の場合には、図６（ａ）及び図６（ｅ）を経て、図６（ｄ）の通話状態表示に遷移するので、操作入力手段として、ペンを使うか指を使うかによってユーザのユースケースに適合した表示画面を提供することができ、操作性の向上を図ることができる。
【００４９】
なお、制御部３２は、図６（ｂ）に示す指入力用の表示メニューが表示部２１に表示されている状態において、当該表示メニューの所定の場所がペンにより接触されたことを認識した場合には、図６（ｅ）に示すペン入力用の表示メニューを表示部２１に表示されるように制御する構成であっても良い。
【００５０】
＜メール作成時の添付ファイル選択操作＞
つぎに、ペンによる接触入力であるか又は指による接触入力であるかに応じて、メール作成時の添付ファイルの選択操作の際における表示部２１の表示態様の変化の様子について詳細に説明する。なお、以下では、所定の操作によってメールアプリケーションが起動し、新規の送信メールを作成する画面に移行しているものとして説明する。
【００５１】
制御部３２は、新規の送信メールを作成する画面において（図７（ａ））、「添付」の項目を指により接触された場合には、指入力用の表示メニューを表示部２１に表示されるように制御する。ここで、制御部３２は、添付するデータが格納されている「データフォルダ」項目及び「外部メモリ」項目と、撮像機能を利用して添付するデータを取り込む「フォト撮影」項目及び「ムービー撮影」項目が表示されるように制御する（図７（ｂ））。制御部３２は、指の接触により「データフォルダ」項目が選択された場合には、データフォルダのカテゴリー（全データ表示、ユーザフォルダ、ムービーフォルダ、フォトフォルダ、クーポンフォルダ）が表示されるように制御する（図７（ｃ））。また、制御部３２は、データフォルダのカテゴリーの中から「フォトフォルダ」が指の接触により選択された場合には、フォトフォルダの中身をサムネイルにより表示されるように制御する（図７（ｄ））。
【００５２】
一方で、制御部３２は、新規の送信メールを作成する画面において（図７（ａ））、「添付」の項目をペンにより接触された場合には、ペン入力用の表示メニューを表示部２１に表示されるように制御する（図７（ｅ））。ペン入力用の表示メニューには、図７（ｅ）に示すように、「データフォルダ」の全カテゴリー（一部のカテゴリーが表示されており、スクロール機能により他のカテゴリーが表示されるように構成されていても良い。）と、「外部メモリ」の全カテゴリー（一部のカテゴリーが表示されており、スクロール機能により他のカテゴリーが表示されるように構成されていても良い。）とが一覧表示されており、フォト撮影機能と、ムービー撮影機能の選択が可能なボタンが表示されている。
【００５３】
制御部３２は、ペンの接触により「データフォルダ」の「フォトフォルダ」が選択された場合には、フォトフォルダの中身をサムネイルにより表示されるように制御する（図７（ｄ））。
【００５４】
このようにして、携帯電話機１では、メール作成時の添付ファイル選択操作において、指による接触の場合には、図７（ａ）、図７（ｂ）及び図７（ｃ）を経て、図７（ｄ）のフォトフォルダ内のサムネイル表示画面に遷移し、ペンによる接触の場合には、図７（ａ）及び図７（ｅ）を経て、図７（ｄ）のフォトフォルダ内のサムネイル表示画面に遷移するので、操作入力手段として、ペンを使うか指を使うかによってユーザのユースケースに適合した表示画面を提供することができ、操作性の向上を図ることができる。
【００５５】
なお、制御部３２は、図７（ｂ）に示す指入力用の表示メニューが表示部２１に表示されている状態において、当該表示メニューの所定の場所がペンにより接触されたことを認識した場合には、図７（ｅ）に示すペン入力用の表示メニューを表示部２１に表示されるように制御する構成であっても良い。
【００５６】
＜着信音設定＞
つぎに、ペンによる接触入力であるか又は指による接触入力であるかに応じて、着信音の設定操作を行う際における表示部２１の表示態様の変化の様子について詳細に説明する。なお、以下では、所定の操作によって着信音の設定を行う画面に移行しているものとして説明する。
【００５７】
制御部３２は、着信音の設定を行う画面において（図８（ａ））、「音声着信音」の項目を指により接触された場合には、指入力用の表示メニューを表示部２１に表示されるように制御する（図８（ｂ））。指入力用の表示メニューは、「プリセットデータ」項目と、「データフォルダ」項目と、「外部メモリ」項目と、「インターネットで探す」項目とから構成されている。なお、「インターネットで探す」項目が選択された場合には、Ｗｅｂブラウザが表示され、インターネットに接続され、設定音をダウンロード可能なＷｅｂページが表示される。
【００５８】
制御部３２は、「プリセットデータ」項目が指の接触により選択された場合には、「プリセットデータ」項目に含まれているプリセットデータが表示部２１に一覧表示されるように制御する（図８（ｃ））。また、制御部３２は、「プリセットデータ項目」の一覧表示の中から「プリセットデータ１」が指の接触により選択された場合には、所定の表示（例えば、「音声着信音にプリセットデータ１を設定しました。」）を行うように制御する（図８（ｄ））。
【００５９】
一方で、制御部３２は、着信音の設定を行う画面において（図８（ａ））、「音声着信音」の項目をペンにより接触された場合には、ペン入力用の表示メニューを表示部２１に表示されるように制御する（図８（ｅ））。ペン入力用の表示メニューは、図８（ｅ）に示すように、「プリセットデータ」項目に含まれている全プリセットデータ（一部のプリセットデータのみが表示されており、スクロール機能により他のプリセットデータが表示されるように構成されていても良い。）と、「データフォルダ」項目に含まれている全データ（一部のデータのみが表示されており、スクロール機能により他のデータが表示されるように構成されていても良い。）と、「外部メモリ」項目に含まれている全外部メモリデータ（一部の外部メモリデータのみが表示されており、スクロール機能により他の外部メモリデータが表示されるように構成されていても良い。）と、「インターネットで探す」項目とから構成されている。
【００６０】
制御部３２は、ペンの接触により「プリセットデータ項目」の中から「プリセットデータ１」が選択された場合には、所定の表示（例えば、「音声着信音にプリセットデータ１を設定しました。」）を行うように制御する（図８（ｄ））。
【００６１】
このようにして、携帯電話機１では、着信音の設定操作において、指による接触の場合には、図８（ａ）、図８（ｂ）及び図８（ｃ）を経て、図８（ｄ）の所定の表示画面に遷移し、ペンによる接触の場合には、図８（ａ）及び図８（ｅ）を経て、図８（ｄ）の所定の表示画面に遷移するので、操作入力手段として、ペンを使うか指を使うかによってユーザのユースケースに適合した表示画面を提供することができ、操作性の向上を図ることができる。
【００６２】
なお、制御部３２は、図８（ｂ）に示す指入力用の表示メニューが表示部２１に表示されている状態において、当該表示メニューの所定の場所がペンにより接触されたことを認識した場合には、図８（ｅ）に示すペン入力用の表示メニューを表示部２１に表示されるように制御する構成であっても良い。
【００６３】
＜他の実施例＞
また、携帯電話機１は、階層項目が表示されると共に接触が検出可能な表示領域３３を有する表示部２１と、表示部２１の表示領域３３への接触を検出する検出部３１と、複数の上位階層項目が表示部２１に表示された状態において、検出部３１により上位階層項目に対応する表示領域３３への接触が検出されると、表示領域３３への接触状態に応じて、表示部２１に表示される当該上位階層項目に関連する複数の下位階層項目の数を可変させる制御部３２と、を備える構成であってもよい。この場合、例えば、上記実施例の選択項目が他の実施例の上位階層項目に対応し、上記実施例の第１の階層項目が他の実施例の下位階層項目に対応する。また他の例として、上記実施例の第１の階層項目が他の実施例の上位階層項目に対応し、上記実施例の第２の階層項目が他の実施例の下位階層項目に対応する。
【００６４】
また、携帯電話機１では、制御部３２は、表示部２１に表示される選択項目に対応する表示領域３３への接触を検出する検出部３１の検出結果に応じて表示部２１に表示される選択項目に関連する複数の第１の階層項目の表示数を増加するように制御する構成であっても良い。
【００６５】
このように構成されることにより、携帯電話機１は、データフォルダ内のファイル数等の第１の階層項目が複数あって、通常の表示では一画面に収まらないような場合において、ペンのような接触面が小さい接触があったときに、各第１の階層項目を小さく表示して表示数を増加するので、スクロール等の操作を不要とし、操作性の向上を図ることができる。
【００６６】
また、携帯電話機１では、制御部３２は、表示部２１に表示される選択項目に対応する表示領域３３への接触を検出する検出部３１の検出結果に応じて表示部２１に表示される選択項目に関連する複数の第１の階層項目の表示数を減少するように制御する構成であっても良い。
【００６７】
また、携帯電話機１では、検出部３１は、選択項目の表示領域３３に対する接触と選択項目の表示領域３３とは異なる表示領域３３に対する接触とを検出可能であり、制御部３２は、選択項目が表示部２１に表示された状態において、検出部３１にて選択項目の表示領域３３への接触が検出されると、表示部２１の表示状態を、選択項目の表示領域３３及び選択項目の表示領域３３とは異なる表示領域３３への接触状態に応じて、第１表示状態、或いは、第２表示状態のいずれかに遷移させる構成であっても良い。この場合において、指により表示部２１（選択項目の表示領域３３）を接触したときには、選択項目の表示領域３３とは異なる表示領域３３も指により接触される可能性が高い。一方、ペンにより表示部２１（選択項目の表示領域３３）を接触したときには、選択項目の表示領域３３とは異なる表示領域３３がペンにより接触される可能は低い。このため、制御部３２は、選択項目の表示領域３３とは異なる表示領域３３への接触状態に応じて（例えば、指又はペン等による接触入力）、表示部２１の表示態様を第１表示状態又は第２表示状態のいずれかに遷移させる。
【００６８】
なお、本実施例においては、指の入力であるかペンの入力であるかによって表示部２１の表示態様を変化させることとしたが、これに限られず、例えば、接触する指の大きさによって、表示態様に変化を持たせるような構成であっても良い。
【００６９】
［第２実施形態］
本実施形態に係る携帯電話機１は、タッチパネルを有しており、当該タッチパネルへの接触状態（例えば、ペンや指による接触入力）に応じて、表示部２１に表示される内容を適宜変更することにより、操作性の向上を図る機能を有している。
【００７０】
当該機能を発揮するための携帯電話機１の構成は、図２に示す第１実施形態に係る携帯電話機１の構成と同様に、表示部２１と、検出部３１と、表示領域３３と、制御部３２とを備える。表示部２１は、初期画面（通話を待ち受けている状態において表示されている画面）を表示する。検出部３１は、初期画面の表示領域３３に対する接触を検出可能である。制御部３２は、初期画面が表示部２１に表示された状態において、検出部３１にて初期画面の表示領域３３への接触が検出されると、表示部２１の表示状態を、初期画面の表示領域３３への接触状態に応じて、選択項目を表示する状態、或いは、選択項目に関連する複数の第１の階層項目を有する第１の表示項目群を表示する状態のいずれかに遷移させる。
【００７１】
このように構成されることにより、携帯電話機１は、表示領域３３への接触状態に応じて表示態様を適宜変更し、操作性の向上を図ることができる。
【００７２】
つぎに、ペンによる接触入力であるか又は指による接触入力であるかに応じて、表示部２１に選択項目を表示させ、或いは、表示部２１に第１の階層項目に関連する第１の表示項目を表示させる際における表示態様の変化の様子について説明する。
【００７３】
制御部３２は、初期画面が表示部２１に表示されている状態において（図９（ａ））、初期画面が指により接触された場合には、選択項目を表示部２１に表示させるように制御する（図９（ｂ））。一方で、制御部３２は、初期画面が表示部２１に表示されている状態において（図９（ａ））、初期画面がペンにより接触された場合には、ペン入力用の表示メニューを表示部２１に表示させるように制御する（図９（ｃ））。
【００７４】
このようにして、携帯電話機１では、初期画面が表示部２１に表示されている場合において、初期画面が指により接触されたときには、図９（ｂ）に示す画面表示に遷移し、ペンにより接触されたときには、図９（ｃ）に示す画面表示に遷移するので、操作入力手段として、ペンを使うか指を使うかによってユーザのユースケースに適合した表示画面を提供することができ、操作性の向上を図ることができる。
【００７５】
［第３実施形態］
本実施形態に係る携帯電話機１は、タッチパネルを有しており、当該タッチパネルへの接触状態（例えば、ペンや指による接触入力）に応じて、表示部２１に表示される内容を適宜変更することにより、操作性の向上を図る機能を有している。
【００７６】
当該機能を発揮するための携帯電話機１の構成は、図２に示す第１実施形態に係る携帯電話機１の構成と同様に、表示部２１と、検出部３１と、表示領域３３と、制御部３２とを備える。表示部２１は、選択項目が表示される。検出部３１は、選択項目の表示領域３３とは異なる表示領域３３に対する接触を検出可能である。制御部３２は、選択項目が表示部２１に表示された状態において、検出部３１にて選択項目の表示領域３３とは異なる表示領域３３への接触が検出されると、表示部２１の表示状態を、選択項目の表示領域３３とは異なる表示領域３３への接触状態に応じて、選択項目の表示が維持される状態、或いは、選択項目に関連する複数の第１の階層項目を有する第１の表示項目群を表示する状態のいずれかに遷移させる。
【００７７】
このように構成されることにより、携帯電話機１は、表示領域３３への接触状態に応じて表示態様を適宜変更し、操作性の向上を図ることができる。
【００７８】
つぎに、ペンによる接触入力であるか又は指による接触入力であるかに応じて、表示部２１に選択項目をそのまま表示させ、或いは、表示部２１に選択項目に関連する複数の第１の階層項目を表示させる際における表示態様の変化の様子について説明する。
【００７９】
制御部３２は、選択項目２１ａが表示部２１に表示されている状態において（図１０（ａ））、選択項目２１ａ以外の表示領域２１ｂ（選択項目２１ａに対応する表示領域３３とは異なる表示領域２１ｂ）が指により接触された場合には、選択項目２１ａをそのまま表示部２１に表示させるように制御する（図１０（ｂ））。一方で、制御部３２は、選択項目２１ａが表示部２１に表示されている状態において（図１０（ａ））、選択項目２１ａ以外の表示領域２１ｂ（選択項目２１ａに対応する表示領域３３とは異なる表示領域２１ｂ）がペンにより接触された場合には、ペン入力用の表示メニューを表示部２１に表示させるように制御する（図１０（ｃ））。
【００８０】
このようにして、携帯電話機１では、選択項目２１ａが表示部２１に表示されている場合において、選択項目２１ａ以外の表示領域２１ｂ（選択項目２１ａに対応する表示領域３３とは異なる表示領域２１ｂ）が指により接触されたときには、図１０（ｂ）に示す画面表示に遷移し、ペンにより接触されたときには、図１０（ｃ）に示す画面表示に遷移するので、操作入力手段として、ペンを使うか指を使うかによってユーザのユースケースに適合した表示画面を提供することができ、操作性の向上を図ることができる。
【００８１】
なお、本実施形態では、選択項目に対応する表示領域３３とは異なる表示領域２１ｂがペンにより接触されたときには、ペン入力用の表示メニューを全て表示部２１に表示する場合について説明した。しかしながら、他の実施例として、制御部３２は、選択項目に対応する表示領域３３とは異なる表示領域２１ｂがペンにより接触された場合には、ペンにより接触された位置に近い選択項目及び／又はペンにより接触された位置に近い選択項目に関連する複数の第１の階層項目が表示されるよう制御してもよい。
【符号の説明】
【００８２】
１  携帯電話機
２１  表示部
３１  検出部
３２  制御部
３３  表示領域
【図１】
2010035878.tif 000003
【図２】
2010035878.tif 000004
【図３】
2010035878.tif 000005
【図４】
2010035878.tif 000006
【図５】
2010035878.tif 000007
【図６】
2010035878.tif 000008
【図７】
2010035878.tif 000009
【図８】
2010035878.tif 000010
【図９】
2010035878.tif 000011
【図１０】
2010035878.tif 000012
【国際調査報告】
2010035878.tif 000013
2010035878.tif 000014
2010035878.tif 000015
2010035878.tif 000016